(57)【特許請求の範囲】
【請求項１】
共通２線ケーブル（L1、L2）に監視テレビカメラ（１）、マイク（１０）をそれぞれ有する複数の監視テレビカメラ子機（ＳＱ1、ＳＱ2、…）をバス接続し、前記共通２線ケーブルに前記監視テレビカメラからの映像信号を監視する監視モニタテレビ（１９）、前記マイクからの音声信号をモニタするスピーカ（１５）、前記複数の監視テレビカメラ子機の１つを選局する選局回路（１１）を有する親機（ＭＱ1）を接続し、
前記監視テレビカメラ子機は、前記共通２線ケーブルに接続され自機にそれぞれ割当てられた制御用キャリヤ信号（ｆa、ｆb、…）を送受する子機キャリヤ送受回路（６）と、前記監視テレビカメラから出力した前記映像信号をハイ・インピーダンスで送出する映像信号用ハイ・インピーダンス送出回路（３）と、前記マイクからの前記音声信号、前記子機キャリヤ送受回路からの前記制御用キャリヤ信号をハイ・インピーダンスで送出する音声・制御信号用ハイ・インピーダンス送出回路（４）と、人を感知するセンサ（９）と、前記センサから入力された信号により前記制御用キャリヤ信号の送受を切り換える子機キャリヤ送受信切換スイッチ（５）とを有し、前記親機は、前記共通２線ケーブルに接続され前記制御用キャリヤ信号を送受する親機キャリヤ送受回路（１２a、１２b、…）と、前記親機キャリヤ送受回路からの前記制御用キャリヤ信号をハイ・インピーダンスで送出する制御信号用ハイ・インピーダンス送出回路（１４）と、前記制御信号用ハイ・インピーダンス送出回路及び親機キャリヤ送受回路からの前記制御用キャリヤ信号の送受を切り換える親機キャリヤ送受信切換スイッチ（１３a、１３b、…）とを有することにより、前記親機が１つの監視テレビカメラ子機をモニタしている状態で、他の監視テレビカメラ子機の前記センサから信号が入力された場合、前記子機キャリヤ送受信切換スイッチを送信側に切り換えて、前記子機キャリヤ送受回路より出力される前記制御用キャリヤ信号が前記他の監視テレビカメラ子機に対応する前記親機キャリヤ送受信切換スイッチの受信側に送信され、前記他の監視テレビカメラ子機に対応する前記親機キャリヤ送受回路のみ検出するように前記選局回路に送信され前記他の監視テレビカメラ子機に対応する前記親機キャリヤ送受信切換スイッチを送信側、その他の親機キャリヤ送受信切換スイッチを受信側に切り換える信号が前記選局回路のスイッチ制御側から出力されて、前記１つの監視テレビカメラ子機をＯＦＦし前記他の監視テレビカメラ子機をＯＮすることを特徴とする監視テレビカメラ装置。
【発明の詳細な説明】
【０００１】
【発明の属する技術分野】
【０００２】
この発明は監視テレビカメラ装置に関し、特に複数の監視テレビカメラ子機と親機の接続において省線化が図れる監視テレビカメラ装置に係わる。
【従来の技術】
【０００３】
従来から、図２に示すような監視テレビカメラ装置が提案されている。
【０００４】
この監視テレビカメラ装置は、共通２線L11、L12に複数の監視テレビカメラ子機ＳＱ11〜ＳＱ18（説明のためを監視テレビカメラ子機の数を８とする）が接続され、親機ＭＱ11の監視モニタテレビ３９で監視するものである。各監視テレビカメラ子機ＳＱ11〜ＳＱ18はその映像信号ｆ1により出力電流を変化させる定電流回路３２を介して共通２線L11、L12に接続されている。出力電流を電圧変換させる終端抵抗Ｒ11、Ｒ12が共通２線L11、L12の両終端にそれぞれ設けられている。監視テレビカメラ子機ＳＱ11〜ＳＱ18は、共通６線L11〜L16で親機ＭＱ11に並列に接続されている。
【０００５】
親機ＭＱ11は、映像信号復調回路３８、監視モニタテレビ３９、カメラ電源回路４０、ＤＴＭＦレシーバ４２、平衡・不平衡変換コイル３７、ＤＴＭＦジェネレータ４３、テンキー４４、デコーダ４１を備え、共通２線L11、L12が接続された映像端子T1、T2はそれぞれコンデンサＣ11、Ｃ12を介して平衡・不平衡変換コイル３７の入力側と接続されている。平衡・不平衡変換コイル３７の出力側は一端が基準電位点に接続された負荷抵抗Ｒ11の他端が接続され、かつ映像信号復調回路３８を介して監視モニタテレビ３９と接続されている。
【０００６】
カメラ電源回路４０は共通電源端子T3、T4を介して共通電源線L13、L14と接続されている。デコーダ４１はＤＴＭＦレシーバ４２を介してデータ端子T5、T6と接続され、テンキー４４はＤＴＭＦジェネレータ４３を介してデータ端子T5、T6と接続されている。データ端子T5、T6にはそれぞれ共通データ線L15、L16が接続されている。
【０００７】
監視テレビカメラ子機ＳＱ11〜ＳＱ18のカメラアイ３０ａから映像信号が入力される監視カメラユニット３０は映像信号変調回路３１を介して定電流回路３２と接続され、定電流回路３２はコンデンサＣ13、Ｃ14を介して映像端子T1、T2と接続される。共通電源端子T3、T4と接続されている電源回路３３は監視カメラユニット３０の電源側と接続され、データ端子T5、T6に接続されたＤＴＭＦレシーバ３６は番号設定スイッチ３５が接続されたデジタルコンパレータ３４と接続されている。デジタルコンパレータ３４の比較出力側は、電源回路３３と接続されている。
【０００８】
このように構成された監視テレビカメラ装置において、親機ＭＱ11のテンキー４４で例えば監視テレビカメラ子機ＳＱ11を選局すると、監視テレビカメラ子機ＳＱ11に相当するＤＴＭＦ信号がＤＴＭＦジェネレータ４３から出力され、共通データ線L15、L16を介して、監視テレビカメラ子機ＳＱ11のデータ端子T5、T6に入力される。
【０００９】
ＤＴＭＦ信号は、監視テレビカメラ子機ＳＱ11のＤＴＭＦレシーバ３６によりデジタル信号に変換され、番号設定スイッチ３５に予め設定された自局番号と比較され、一致した場合は電源回路３３が動作し、監視カメラユニット３０へカメラ用電源を供給する。
【００１０】
監視テレビカメラ子機ＳＱ11の監視カメラユニット３０のカメラアイ３０ａから入力される映像信号は映像信号変調回路３１でＦＭ変調され、定電流回路３２から共通２線L11、L12へ送出される。定電流回路３２から共通２線L11、L12へ送出された映像信号は、親機ＭＱ11の映像信号復調回路３８で復調され監視モニタテレビ３９で監視される。
【発明が解決しようとする課題】
【００１１】
このような監視テレビカメラ装置では、電源用、映像信号用、制御信号用に２本づつ計６本の線路が必要であるという難点があった。
【００１２】
本発明はこのような難点を解決するために、複数の監視テレビカメラ子機と親機の接続において省線化が図れる監視テレビカメラ装置を提供することを目的としている。
【課題を解決するための手段】
【００１３】
前述した目的を達成するため、本発明による監視テレビカメラ装置は、共通２線ケーブルに監視テレビカメラ、マイクをそれぞれ有する複数の監視テレビカメラ子機をバス接続し、共通２線ケーブルに監視テレビカメラからの映像信号を監視する監視モニタテレビ、マイクからの音声信号をモニタするスピーカ、複数の監視テレビカメラ子機の１つを選局する選局回路を有する親機を接続し、監視テレビカメラ子機は、共通２線ケーブルに接続され自機にそれぞれ割当てられた制御用キャリヤ信号を送受する子機キャリヤ送受回路と、監視テレビカメラから出力した映像信号をハイ・インピーダンスで送出する映像信号用ハイ・インピーダンス送出回路と、マイクからの音声信号、子機キャリヤ送受回路からの制御用キャリヤ信号をハイ・インピーダンスで送出する音声・制御信号用ハイ・インピーダンス送出回路と、人を感知するセンサと、センサから入力された信号により制御用キャリヤ信号の送受を切り換える子機キャリヤ送受信切換スイッチとを有し、親機は、共通２線ケーブルに接続され制御用キャリヤ信号を送受する親機キャリヤ送受回路と、親機キャリヤ送受回路からの制御用キャリヤ信号をハイ・インピーダンスで送出する制御信号用ハイ・インピーダンス送出回路と、制御信号用ハイ・インピーダンス送出回路及び親機キャリヤ送受回路からの制御用キャリヤ信号の送受を切り換える親機キャリヤ送受信切換スイッチとを有することにより、親機が１つの監視テレビカメラ子機をモニタしている状態で、他の監視テレビカメラ子機のセンサから信号が入力された場合、子機キャリヤ送受信切換スイッチを送信側に切り換えて、子機キャリヤ送受回路より出力される制御用キャリヤ信号が他の監視テレビカメラ子機に対応する親機キャリヤ送受信切換スイッチの受信側に送信され、他の監視テレビカメラ子機に対応する親機キャリヤ送受回路のみ検出するように選局回路に送信され他の監視テレビカメラ子機に対応する親機キャリヤ送受信切換スイッチを送信側、その他の親機キャリヤ送受信切換スイッチを受信側に切り換える信号が選局回路のスイッチ制御側から出力されて、１つの監視テレビカメラ子機をＯＦＦし他の監視テレビカメラ子機をＯＮするものである。
【００１４】
このように、監視テレビカメラ子機には映像信号用ハイ・インピーダンス送出回路と音声・制御信号用ハイ・インピーダンス送出回路、親機には制御信号用ハイ・インピーダンス送出回路を備えたことにより、映像信号、音声信号、制御信号用キャリヤ信号をハイ・インピーダンス出力して共通２線ケーブルに多重したので、複数の監視テレビカメラ子機と親機の接続において省線化が図れる。
【発明の実施の形態】
【００１５】
以下、本発明による監視テレビカメラ装置の好ましい一実施例を示す図面を参照して詳述する。
【００１６】
図１に示すような監視テレビカメラ装置は、抵抗ｒ1、コンデンサＣ7、Ｃ8を有する終端抵抗Ｒ1を一端に接続した共通２線ケーブルL1、L2に映像信号を入力するカメラアイ１aを有する監視テレビカメラ１、マイク１０をそれぞれ備えた複数の監視テレビカメラ子機ＳＱ1、ＳＱ2、…をバス接続し、共通２線ケーブルL1、L2に監視テレビカメラ１からの映像信号を監視する監視モニタテレビ１９、マイク１０からの音声信号をモニタするスピーカ１５、複数の監視テレビカメラ子機ＳＱ1、ＳＱ2、…の１つを選局する選局スイッチ１１a、１１b、…を有する選局回路１１を備えた親機ＭＱ1を接続した。
【００１７】
複数の監視テレビカメラ子機ＳＱ1、ＳＱ2、…は、共通２線ケーブルL1、L2に接続され自機にそれぞれ割当てられた制御用キャリヤ信号ｆa、ｆb、…を送受する子機キャリヤ送受回路６と、キャリヤ送受信切換スイッチ５と、映像信号変調回路２と、制御用キャリヤ信号設定スイッチ７と、センサ用Ｉ／Ｆ８と、センサ９と、コンデンサＣ1、Ｃ2、Ｃ3と、コイルＫ1、Ｋ2とを有し、監視テレビカメラ１から出力した映像信号をハイ・インピーダンスで送出する、定電流回路３a、バラン３bを有する映像信号用ハイ・インピーダンス送出回路３と、マイク１０からの音声信号、子機キャリヤ送受回路６からの制御用キャリヤ信号ｆa、ｆb、…をハイ・インピーダンスで送出する、送話アンプ４a、定電流回路４b、ハイブリッド回路４cを有する音声・制御信号用ハイ・インピーダンス送出回路４を備えている。
【００１８】
親機ＭＱ1は、共通２線ケーブルL1、L2に接続され制御用キャリヤ信号ｆa、ｆb、…を送受する親機キャリヤ送受回路１２a、１２b、…と、キャリヤ送受信切換スイッチ１３a、１３b、…と、電源回路１６と、平衡・不平衡コイル１７と、映像信号復調回路１８と、コンデンサＣ4、Ｃ5、Ｃ6と、コイルＫ3、Ｋ4と終端抵抗Ｒ2とを有し、親機キャリヤ送受回路１２a、１２b、…からの制御用キャリヤ信号ｆa、ｆb、…をハイ・インピーダンスで送出する制御信号用ハイ・インピーダンス送出回路１４を備えている。
【００１９】
監視テレビカメラ子機ＳＱ1の監視テレビカメラ１は、映像信号変調回路２を介して映像信号用ハイ・インピーダンス送出回路３の定電流回路３aの入力側に接続され、定電流回路３aの出力側はバラン３bに接続されている。映像信号用ハイ・インピーダンス送出回路３の出力側は、コンデンサＣ1、Ｃ2を介して共通２線ケーブルL1、L2に接続されている。また、共通線ケーブルL2は一方を基準電位
点に接続されたコイルＫ2が接続されている。
【００２０】
監視テレビカメラ子機ＳＱ1に接続された共通線ケーブルL1は、コイルＫ1、コンデンサＣ3を介して音声・制御信号用ハイ・インピーダンス送出回路４のハイブリッド回路４cに接続されている。コイルＫ1とコンデンサＣ3の接続点は、子機キャリヤ送受回路６に接続されている。ハイブリッド回路４cはキャリヤ送受信切換スイッチ５の受信側から制御用キャリヤ信号設定スイッチ７に接続された子機キャリヤ送受回路６に接続され、子機キャリヤ送受回路６は監視テレビカメラ１、映像変調回路２、映像信号用ハイ・インピーダンス送出回路３、音声・制御信号用ハイ・インピーダンス送出回路４の送話アンプ４aおよび定電流回路４bに接続されている。センサ９はセンサ用Ｉ／Ｆ８を介してキャリヤ送受信切換スイッチ５の制御側に接続され、キャリヤ送受信切換スイッチ５の送信側は音声・制御信号用ハイ・インピーダンス送出回路４の定電流回路４bに接続されている。音声・制御信号用ハイ・インピーダンス送出回路４の定電流回路４bは、マイク１０に接続された送話アンプ４aとハイブリッド回路４cに接続されている。
【００２１】
親機ＭＱ1に接続された共通線ケーブルL1は、一方を基準電位点に接続されたコイルＫ4が接続され、コンデンサＣ5を介して平衡・不平衡コイル１７の入力側に接続されている。平衡・不平衡コイル１７の出力側は、一方を基準電位点に接続された終端抵抗Ｒ2と映像信号復調回路１８を介して監視モニタテレビ１９に接続されている。
【００２２】
親機ＭＱ1において共通線ケーブルL2はコンデンサＣ4を介して平衡・不平衡コイル１７の入力側に接続される。また、共通線ケーブルL2はコイルＫ3を介して電源回路１６およびコンデンサＣ6を介して制御信号用ハイ・インピーダンス送出回路１４に接続されている。制御信号用ハイ・インピーダンス送出回路１４は、スピーカ１５と複数のキャリヤ送受信切換スイッチ１３a、１３b、…に接続されている。キャリヤ送受信切換スイッチ１３a、１３b、…はそれぞれ親機キャリヤ送受回路１２a、１２b、…に接続され、親機キャリヤ送受回路１２a、１２b、…は選局スイッチ１１a、１１b、…が接続された選局回路１１に接続されている。選局回路１１のスイッチ制御側は、キャリヤ送受信切換スイッチ１３a、１３b、…の制御側に接続されている。
【００２３】
なお、以上の説明においては１つの監視テレビカメラ子機ＳＱ1についての構成を説明したが、その他の監視テレビカメラ子機ＳＱ2…においても同様な構成を有するので、その他の監視テレビカメラ子機ＳＱ2…についての説明は省略する。
【００２４】
このように構成された本発明による監視テレビカメラ装置において、親機ＭＱ1で例えば監視テレビカメラ子機ＳＱ1をモニタする場合について説明する。
【００２５】
親機ＭＱ1の選局スイッチ１１aで監視テレビカメラ子機ＳＱ1を選局すると、選局回路１１のスイッチ制御側からキャリヤ送受信切換スイッチ１３aの制御側に選局信号が送信され、キャリヤ送受信切換スイッチ１３aは送信側に切り換わる。（このとき、他のキャリヤ送受信切換スイッチ１３b…は受信側のままである）親機キャリヤ送受回路１２aはＰＬＬ ＩＣ回路で構成されており、キャリヤ送受信切り換えスイッチ１３aが送信側に切り換わることにより、親機キャリヤ送受回路１２aの制御用キャリヤ信号ｆaが制御信号用ハイ・インピーダンス送出回路１４に送信される。この制御用キャリヤ信号ｆaは同時にスピーカ１５にも送信されるが、制御用キャリヤ信号ｆaによる音声は周波数帯域を可聴帯域以外に設定してあるため出力されない。
【００２６】
制御信号用ハイ・インピーダンス送出回路１４からハイ・インピーダンスで送出された制御用キャリヤ信号ｆaは、共通線ケーブルL1、L2を通り各監視テレビカメラ子機ＳＱ1、ＳＱ2、…に送信され、音声・制御信号用ハイ・インピーダンス送出回路４のハイブリッド回路４cに入力される。音声・制御信号用ハイ・インピーダンス送出回路４のハイブリッド回路４cからは、キャリヤ送受信切換スイッチ５の受信側を通り子機キャリヤ送受回路６に入力される。このとき、各監視テレビカメラ子機ＳＱ1、ＳＱ2、…の子機キャリヤ送受回路６の検出周波数は、制御用キャリヤ信号設定スイッチ７により、監視テレビカメラ子機ＳＱ1は制御用キャリヤ信号ｆa、監視テレビカメラ子機ＳＱ2は制御用キャリヤ信号ｆbに設定されているため、親機ＭＱ1から出力された制御用キャリヤ信号ｆaを検出するのは、監視テレビカメラ子機ＳＱ1の子機キャリヤ送受回路６のみである。
【００２７】
監視テレビカメラ子機ＳＱ1の子機キャリヤ送受回路６で制御用キャリヤ信号ｆaを検出すると、監視テレビカメラ１、映像信号変調回路２、映像信号用ハイ・インピーダンス送出回路３、音声・制御信号用ハイ・インピーダンス送出回路４の送話アンプ４aおよび定電流回路４bに電源が供給される。電源が供給されると、監視テレビカメラ１のカメラアイ１aで入力した映像信号が映像信号変調回路２でＦＭ変調され、映像信号用ハイ・インピーダンス送出回路３に送信される。映像信号用ハイ・インピーダンス送出回路３では、映像信号をハイ・インピーダンスで共通線ケーブルL1、L2に送出される。ハイ・インピーダンスで送出された映像信号は平衡・不平衡コイル１７を介して映像信号復調器１８で復調され、監視モニタテレビ１９で監視される。
【００２８】
マイク１０からの音声信号は、音声・制御信号用ハイ・インピーダンス送出回路４の送話アンプ４a、定電流回路４b、ハイブリッド回路４cによりハイ・インピーダンスで共通線ケーブルL1、L2に送出され、親機ＭＱ1のスピーカ１５でモニタされる。
【００２９】
次に、上記のように親機ＭＱ1が監視テレビカメラ子機ＳＱ1をモニタしている状態で、監視テレビカメラ子機ＳＱ2に付加された例えば人を感知するセンサ９から信号が入力された場合について述べる。
【００３０】
監視テレビカメラ子機ＳＱ2のセンサ９から入力された信号は、センサＩ／Ｆ８を介して子機キャリヤ送受回路６に接続されたキャリヤ送受信切換スイッチ５を送信側に切り換える。これにより、子機キャリヤ送受回路６より出力される制御用キャリヤ信号ｆbが、音声・制御信号用ハイ・インピーダンス送出回路４の定電流回路４b、ハイブリッド回路４cを介してハイ・インピーダンスで共通線ケーブルL1、L2に送出される。
【００３１】
この制御信号は、親機ＭＱ1の制御信号用ハイ・インピーダンス送出回路１４を介してキャリヤ送受信切換スイッチ１３bの受信側に送信される。制御用キャリヤ信号ｆbは、親機キャリヤ送受回路１２bのみ検出するように設定されており、検出信号は選局回路１１に送信される。キャリヤ送受信切換スイッチ１３bを送信側、その他のキャリヤ送受信切換スイッチを受信側に切り換える信号が選局回路１１のスイッチ制御側から出力され、監視テレビカメラ子機ＳＱ1をＯＦＦし監視テレビカメラ子機ＳＱ2をＯＮする。監視テレビカメラ子機ＳＱ2から出力された映像信号は上述の経路をたどって親機ＭＱ1の映像信号復調回路１８で復調され、監視モニタテレビ１９で監視テレビカメラ子機ＳＱ2を監視し、音声信号は上述の経路をたどって親機ＭＱ1のスピーカ１５でモニタされる。
【００３２】
上記の実施例では、平衡伝送を行うものについて説明したが、不平衡伝送であっても同様の効果を奏する。
【発明の効果】
【００３３】
以上の説明から明らかなように本発明による監視テレビカメラ装置によれば、監視テレビカメラ子機には映像信号用ハイ・インピーダンス送出回路と音声・制御信号用ハイ・インピーダンス送出回路、親機には制御信号用ハイ・インピーダンス送出回路を備えたことにより、映像信号、音声信号、制御信号用キャリヤ信号をハイ・インピーダンス出力して共通２線ケーブルに多重したので、複数の監視テレビカメラ子機と親機の接続において省線化が図れる。
【図面の簡単な説明】
【００３４】
【図１】本発明による監視テレビカメラ装置の一実施例を示す回路図。
【図２】従来の監視テレビカメラ装置を示す回路図。
【符号の説明】
【００３５】
L1、L2‥‥‥共通２線ケーブル
ＭＱ1‥‥‥親機
ＳＱ1、ＳＱ2、‥‥‥監視テレビカメラ子機
１‥‥‥監視テレビカメラ
３‥‥‥映像信号用ハイ・インピーダンス送出回路
４‥‥‥音声・制御信号用ハイ・インピーダンス送出回路
６‥‥‥子機キャリヤ送受回路
１０‥‥‥マイク
１１‥‥‥選局回路
１２a、１２b、‥‥‥親機キャリヤ送受回路
１４‥‥‥制御信号用ハイ・インピーダンス送出回路
１５‥‥‥スピーカ
１９‥‥‥監視モニタテレビ
ｆa、ｆb、‥‥‥制御用キャリヤ信号
９‥‥‥センサ
５‥‥‥子機キャリヤ送受信切換スイッチ
１３a、１３b、‥‥‥親機キャリヤ送受信切換スイッチ
【図１】
0003605204.tif 000002
【図２】
0003605204.tif 000003